(57)【要約】【課題】  鳥かごから餌、水、羽毛等が周囲に飛散するのを防止して、周囲を清潔に保つことが可能な鳥かご収納ケースを提供するを提供する。【解決手段】  鳥かごを載置しうる底板部と、上記底板部の周縁部に沿って立設され、鳥かごを囲繞しうる飛散防止壁部とを有し、上記飛散防止壁部が透明で、全体が箱状に形成されている。上記飛散防止壁部において、鳥かごの出入口と対向する部位には開口部が設けられ、上記開口部には同開口部を覆いうる側面部材が着脱可能に装着されている。上記開口部には縁部に沿って溝部が設けられ、上記側面部材は側縁部が上記溝部にスライド可能に係合している。  【選択図】  図３
0003127822.tif 000002
【実用新案登録請求の範囲】
【請求項１】
鳥かごを載置しうる底板部と、上記底板部の周縁部に沿って立設され、鳥かごを囲繞しうる飛散防止壁部とを有し、上記飛散防止壁部が透明で、全体が箱状に形成されていることを特徴とする鳥かご収納ケース。
【請求項２】
上記飛散防止壁部の高さ寸法は、鳥かごの高さ寸法の略４分の１に設定されていることを特徴とする請求項１記載の鳥かご収納ケース。
【請求項３】
上記飛散防止壁部において、鳥かごの出入口と対向する部位には開口部が設けられ、上記開口部には同開口部を覆いうる側面部材が着脱可能に装着されていることを特徴とする請求項１〜２のいずれか１項に記載された鳥かご収納ケース。
【請求項４】
上記開口部には縁部に沿って溝部が設けられ、上記側面部材は側縁部が上記溝部にスライド可能に係合すると共に、指掛孔が穿設されていることを特徴とする請求項３記載の鳥かご収納ケース。
【請求項５】
上記飛散防止壁部には適宜箇所に通気孔が穿設されていることを特徴とする請求項１〜４のいずれか１項に記載された鳥かご収納ケース。
【考案の詳細な説明】
【技術分野】
【０００１】
本考案は鳥かご収納ケースに係り、特に、鳥かごから餌、水、羽毛等が周囲に飛散するのを防止しうる鳥かご収納ケースに関する。
【背景技術】
【０００２】
鳥かごには、鳥に与える餌や水を入れる容器が備えられている。
【０００３】
しかしながら、上記の容器は適量の餌や水を収納しうるだけのサイズに形成されていることから、鳥が餌を啄ばんだり、水を飲む場合に、餌や水が容器の外に零れやすかった。
また、鳥が餌を啄ばんだり、水を飲む場合に、鳥がよく嘴を振ることがあるが、その場合は、鳥かごの外へ餌や水が飛散することもあった。
【０００４】
したがって、鳥かごの周囲の床等は、他の場所に比べ、飛散した餌、水、羽毛等で汚れやすく、清掃が煩雑であるという不具合があった。
【０００５】
本出願人は上記不具合を解消しうる鳥かご関連商品について調査したが関連する先行技術文献を見出すことはできなかった。
【考案の開示】
【考案が解決しようとする課題】
【０００６】
そこで本考案の課題は、鳥かごから餌、水、羽毛等が周囲に飛散するのを防止して、周囲を清潔に保つことが可能な鳥かご収納ケースを提供することにある。
【課題を解決するための手段】
【０００７】
上記課題を解決するために、本考案に係る鳥かご収納ケースは、鳥かごを載置しうる底板部と、上記底板部の周縁部に沿って立設され、鳥かごを囲繞しうる飛散防止壁部とを有し、上記飛散防止壁部が透明で、全体が箱状に形成されていることを特徴とする。
【０００８】
すなわち、本考案に係る上記鳥かご収納ケースにあっては、鳥かごを上記飛散防止壁部の内側の上記底板部の上に載置することができる。鳥かごを上記鳥かご収納ケース内に設置した状態では、鳥かごは周囲を上記飛散防止壁部によって取り囲まれた状態となる。
したがって、鳥かごから周囲に餌、水、羽毛等が飛散しても、それらは上記飛散防止壁部によって遮られ、上記飛散防止壁部の外側へ飛び出すことがない。
また、鳥かごに備えられた餌入れや水入れから零れた餌や水は上記底板部の上に溜まることになる。
したがって、上記底板部の上に溜まった餌や水を除去するだけで簡単に清掃することができる。
【０００９】
また、本考案に係る上記鳥かご収納ケースは、上記飛散防止壁部の高さ寸法は、鳥かごの高さ寸法の略４分の１に設定されていることを特徴とする。
【００１０】
すなわち、本考案に係る上記鳥かご収納ケースにあっては、上記飛散防止壁部は鳥かごの下端部のみを囲繞することになる。
したがって、飛散した餌や水が上記飛散防止壁部を飛び越えるのではないかという心配があるが、実用的には上記飛散防止壁部の高さ寸法は上記の値で十分であり、飛散した餌や水が上記飛散防止壁部を飛び越える可能性は小さい。
【００１１】
また、本考案に係る上記鳥かご収納ケースは、上記飛散防止壁部において、鳥かごの出入口と対向する部位には開口部が設けられ、上記開口部には同開口部を覆いうる側面部材が着脱可能に装着されていることを特徴とする。
【００１２】
すなわち、本考案に係る上記鳥かご収納ケースにあっては、上記側面部材を上記飛散防止壁部から取り外すことにより上記開口部を開口することにより、鳥かごの出入口の外側を開放することができる。
したがって、鳥かごの出入口において鳥、餌入れ、水入れ等を出し入れする場合に、上記飛散防止壁部が邪魔になることがない。
【００１３】
また、本考案に係る上記鳥かご収納ケースは、上記開口部には縁部に沿って溝部が設けられ、上記側面部材は側縁部が上記溝部にスライド可能に係合すると共に、指掛孔が穿設されていることを特徴とする。
【００１４】
すなわち、本考案に係る上記鳥かご収納ケースにあっては、上記指掛孔に指を挿入して上記側面部材を上記飛散防止壁部に対しスライドさせることにより、上記開口部を開閉することができる。
【００１５】
また、本考案に係る上記鳥かご収納ケースは、上記飛散防止壁部には適宜箇所に通気孔が穿設されていることを特徴とする。
【００１６】
すなわち、本考案に係る上記鳥かご収納ケースにあっては、上記通気孔から上記飛散防止壁部の内部へ新鮮な空気が流入すると共に、上記飛散防止壁部の内部の淀んだ空気は上記通気孔から外部へ流出する。
【考案の効果】
【００１７】
請求項１記載の本考案に係る鳥かご収納ケースは、鳥かごを載置しうる底板部と、上記底板部の周縁部に沿って立設され、鳥かごを囲繞しうる飛散防止壁部とを有することから、鳥かごの餌入れや水入れから零れた餌や水は上記底板部の上に溜まり、鳥かごから周囲に飛散した餌、水、羽毛等は上記飛散防止壁部により妨げられて外部へ飛散するのが防止されるので、周囲の床等が餌、水、羽毛等で汚れなくなり、清潔性が保たれ、清掃する煩雑が解消する。
また、上記飛散防止壁部が透明で、全体が箱状に形成されていることから、鳥かごの中の鳥たちは上記飛散防止壁部を通して目視することができるので、鳥が見えなくなるという不具合はない。
【００１８】
請求項２記載の本考案に係る鳥かご収納ケースは、上記飛散防止壁部の高さ寸法が、鳥かごの高さ寸法の略４分の１に設定されていることから、上記飛散防止壁部は、鳥かごから周囲に餌、水、羽毛等が飛散するのを確実に防止することができる。
また、上記飛散防止壁部の上方に鳥かごの略４分の３が露出するので、鳥かごの中の鳥を見る場合に上記飛散防止壁部が目障りにならない。
【００１９】
請求項３記載の本考案に係る鳥かご収納ケースは、上記飛散防止壁部において、鳥かごの出入口と対向する部位には開口部が設けられ、上記開口部には同開口部を覆いうる側面部材が着脱可能に装着されていることから、上記側面部材を取り外して上記開口部を開放することにより、鳥かごの出入口を露呈させることができるので、鳥かごの内部へ餌や水を補給する場合に不具合がない。
【００２０】
請求項４記載の本考案に係る鳥かご収納ケースは、上記開口部には縁部に沿って溝部が設けられ、上記側面部材は側縁部が上記溝部にスライド可能に係合すると共に、指掛孔が穿設されていることから、上記側面部材はスライドさせることにより容易に着脱することができる。
【００２１】
請求項５記載の本考案に係る鳥かご収納ケースは、上記飛散防止壁部の適宜箇所に通気孔が穿設されていることから、上記飛散防止壁部の内側の空気が淀まず、上記通気孔から新鮮な空気が流入するので、鳥かごの中の鳥の健康を損ねることがない。
【考案を実施するための最良の形態】
【００２２】
以下、図面を用いて本考案の実施の形態について説明する。
本実施の形態に係る鳥かご収納ケース１１は、図１及び図３に示すように、鳥かご１２を載置しうる底板部１３と、上記底板部１３の周縁部に沿って立設され、鳥かご１２を囲繞しうる飛散防止壁部１４とを有し、上記飛散防止壁部１４が透明で、全体が箱状に形成されている。
【００２３】
また、上記飛散防止壁部１４の高さ寸法は、図３に示すように、鳥かご１２の高さ寸法の略４分の１に設定されている。
【００２４】
また、図２及び図３に示すように、上記飛散防止壁部１４において、鳥かご１２の出入口１９と対向する部位には開口部２０が設けられ、上記開口部２０には同開口部２０を覆いうる側面部材２１が着脱可能に装着されている。
【００２５】
また、図２に示すように、上記開口部２０には縁部に沿って溝部２２，２３が設けられ、上記側面部材２１は側縁部２４，２５が上記溝部２２，２３にスライド可能に係合すると共に、指掛孔２６，２７が穿設されている。
【００２６】
また、図１に示すように、上記飛散防止壁部１４には適宜箇所に通気孔２８，２９，３０，３１，３２，３３，３４が穿設されている。
【実施例１】
【００２７】
図は実施例に係る鳥かご収納ケース１１を示したものである。
本実施例に係る鳥かご収納ケース１１は、図１に示すように、鳥かご１２を載置しうる底板部１３と、上記底板部１３の周縁部に沿って立設され、鳥かご１２を囲繞しうる飛散防止壁部１４とを有して構成されている。
【００２８】
図１に示すように、上記底板部１３は平面方形に形成されている。また、図３に示すように、上記底板部１３は上記鳥かご１２の底面積よりも広い面積を有している。
なお、上記飛散防止壁部１４は、図１に示すように、互いに直角に接合された前壁部１５、左側壁部１６、後壁部１７及び右側壁部１８により構成されている。
上記前壁部１５、左側壁部１６、後壁部１７及び右側壁部１８は側面方形に形成されている。
すなわち、上記鳥かご収納ケース１１は全体が箱状に形成されている。
【００２９】
上記底板部１３、前壁部１５、左側壁部１６、後壁部１７及び右側壁部１８は、透明なアクリル板により形成されている。
なお、上記底板部１３は透明でなくとも構わないが、上記前壁部１５、左側壁部１６、後壁部１７及び右側壁部１８は透明にする必要がある。
すなわち、上記飛散防止壁部１４は透明で、外部から内部に設置された鳥かご１２を透視できるように形成されている。
【００３０】
上記飛散防止壁部１４の高さ寸法は、図３に示すように、鳥かご１２の高さ寸法の略４分の１に設定されている。
すなわち、上記鳥かご１２の高さ寸法をｈとすると、上記飛散防止壁部１４の高さ寸法は略１／４ｈとなる。
【００３１】
図３に示すように、上記鳥かご１２の正面部には、餌や水を補充したり、鳥を出し入れするための出入口１９が設けられている。
これに対し、上記飛散防止壁部１４において、鳥かご１２の上記出入口１９と対向する前壁部１５には、図２及び図３に示すように、開口部２０が設けられている。
上記開口部２０は、上記前壁部１５の上縁部を切り欠くことにより形成されている。
【００３２】
図１及び図２に示すように、上記前壁部１５に設けられた上記開口部２０には側面部材２１が着脱可能に装着され、通常は上記開口部２０を覆っている。
上記側面部材２１も上記前壁部１５と同様に透明なアクリル板により形成されている。
【００３３】
図２に示すように、上記開口部２０における左右両端には縁部に沿って上下方向の溝部２２，２３が設けられている。
上記側面部材２１は、図１に示すように、左右の側縁部２４，２５が上記溝部２２，２３にスライド可能に係合されている。
なお、上記側面部材２１には、図１に示すように、上縁部近傍の左右２個所に夫々指掛孔２６，２７が穿設されている。
【００３４】
図１及び図２に示すように、上記飛散防止壁部１４における上記左側壁部１６と右側壁部１８には、夫々、左右２個所に円形の通気孔２８，２９，３０，３１が穿設されている。
また、上記後壁部１７にも、中央部と左右２個所の計３箇所に夫々円形の通気孔３２，３３，３４が穿設されている。
【００３５】
次に、上記実施例の作用について説明する。
上記鳥かご収納ケース１１は、床やテーブル等の上に載置される。
そして、図３に示すように、上記鳥かご１２は上記鳥かご収納ケース１１における上記底板部１３の上に載置される。
【００３６】
上記鳥かご１２を上記底板部１３の上に載置すると、上記飛散防止壁部１４、すなわち、上記左側壁部１６、上記右側壁部１８、及び上記後壁部１７が上記鳥かご１２を囲繞することになる。
【００３７】
上記のように、鳥かご１２を上記飛散防止壁部１４が囲繞しても、上記飛散防止壁部１４は透明であることから、鳥を観賞する場合に、鳥を目視できなくなるという不具合はない。
なお、上記飛散防止壁部１４の高さ寸法は鳥かご１２の高さ寸法の略４分の１に設定されていることから、図３に示すように、上記飛散防止壁部１４は鳥かご１２の下端部を覆うのみであり、鳥かご１２の上方部位は大部分が露呈しているので、鳥を直に観賞したい場合も、上記飛散防止壁部１４が目障りになることもない。
【００３８】
鳥かご１２の中の鳥が餌を啄ばんだり、水を飲む場合に、嘴を振って、餌や水が周囲に飛散することがある。また、餌や水が餌入れや水入れから零れることも多い。
餌や水が周囲に飛散すると、その餌や水は上記飛散防止壁部１４の内面部に当たって上記底板部１３の上に落下する。
また、零れた餌や水も上記底板部１３の上に溜まることになる。
したがって、餌や水が上記鳥かご収納ケース１１の外側に飛散して床やテーブルを汚すことがないので、煩雑だった清掃の負担が解消される。
なお、上記飛散防止壁部１４の高さ寸法が鳥かご１２の高さ寸法の略４分の１に設定されていても、餌入れや水入れを鳥かご１２の底部に置いておけば、餌や水が上記飛散防止壁部１４を飛び越える可能性は小さい。
【００３９】
餌や水を補給する場合、又は鳥を出し入れする場合は、図２及び図３に示すように、鳥かご１２の出入口１９の前方部位に形成された上記開口部２０を開放して行うことができる。
したがって、上記出入口１９に手を挿入して作業を行う場合に、上記飛散防止壁部１４は邪魔にならない。
上記開口部２０を開放するには、上記側面部材２１の指掛孔２６，２７に指先を挿入して、上記側面部材２１を上方へ持ち上げればよい。
その場合、上記側面部材２１の左右の側縁部２４，２５が上記溝部２２，２３をスライドすることになるので、上記側面部材２１をスムースに移動させて上記前壁部１５から容易に取り除くことができる。
【００４０】
上記飛散防止壁部１４には、図１に示すように、適宜箇所に通気孔２８，２９，３０，３１，３２，３３，３４が形成されていることから、新鮮な空気が上記通気孔２８，２９，３０，３１，３２，３３，３４から内部に流入し、又、内部の淀んだ空気は外部へ排出されるので、上記鳥かご収納ケース１１は換気が良好で、清浄な環境を保つことができる。
【産業上の利用可能性】
【００４１】
本考案は鳥かごの周囲の汚れを防止するためのケースに適用可能である。
【図面の簡単な説明】
【００４２】
【図１】本考案の実施例に係る鳥かご収納ケースの斜視図である。
【図２】本考案の実施例に係る鳥かご収納ケースの開口部を開いた状態の斜視図である。
【図３】本考案の実施例に係る鳥かご収納ケース内に鳥かごを設置した状態の斜視図である。
【符号の説明】
【００４３】
１１  鳥かご収納ケース
１２  鳥かご
１３  底板部
１４  飛散防止壁部
１５  前壁部
１６  左側壁部
１７  後壁部
１８  右側壁部
１９  出入口
２０  開口部
２１  側面部材
２２  溝部
２３  溝部
２４  側縁部
２５  側縁部
２６  指掛孔
２７  指掛孔
２８  通気孔
２９  通気孔
３０  通気孔
３１  通気孔
３２  通気孔
３３  通気孔
３４  通気孔
【図１】
0003127822.tif 000003
【図２】
0003127822.tif 000004
【図３】
0003127822.tif 000005